(57)【特許請求の範囲】
【請求項１】
車両その他の移動体に搭載されて、移動体と通話先であるセンターとの間で音声による通話を可能にした通信端末装置であって、
マイクロフォン及びスピーカと、前記マイクロフォンに直列に接続されたスイッチとを有し、前記スイッチのオン操作で送信状態となり、前記スイッチのオフ操作で受信状態になるプッシュ・トゥ・トーク式マイクセットと、
送受信アンテナと、
前記送受信アンテナで受けた前記センターからの受信信号を増幅し復調して前記スピーカに出力するとともに、前記スイッチのオン操作に伴い前記マイクロフォンでピックアップされた音声信号を送信信号に変調し所要の送信出力に増幅して前記送受信アンテナから電波として送出する携帯電話ユニットと、
前記携帯電話ユニットを含む端末装置全体を制御し管理する制御部と、
前記制御部に接続され、少なくとも前記センターの電話番号を記憶する記憶部と、
前記スイッチがプッシュ操作された否かを検知し該スイッチがプッシュ操作される毎に検知信号を出力する検知部とを備え、
前記制御部は、前記スイッチのプッシュ操作に伴い前記検知部から出力される検知信号の継続時間及び一定の時間内に断続して出力される前記検知信号の数を検出し、前記検知信号の継続時間が予め定められた時間もしくは前記検知信号の数が予め定められた値になったことを判定した時に通話開始指令を生成し該通話開始指令に基づいて前記記憶部の電話番号に該当する前記センターに電話発信処理を行うとともに前記携帯電話ユニットを音声通話モードに設定して前記センターとの通話を可能にし、かつ前記検知信号の継続時間が予め定められた前記通話開始指令の場合と異なる時間もしくは前記検知信号の数が予め定められた前記通話開始指令の場合と異なる値になったことを判定した時に通話停止指令を生成し該通話停止指令に基づいて前記携帯電話ユニットを通話停止モードに設定するモード設定手段を備える、
ことを特徴とする通信端末装置。
【請求項２】
前記携帯電話ユニットは、前記送受信アンテナで受けた前記センターからの受信信号を増幅し復調する受信部と、前記受信部で復調した受信信号を音声信号に変換して前記スピーカに出力する受信信号処理部と、前記スイッチのオン操作時に前記マイクロフォンでピックアップされた音声信号を送信信号に変換する送信信号処理部と、前記送信信号処理部から出力される送信信号を変調し所要の送信出力に増幅して前記送受信アンテナから電波として送出させる送信部とを備えることを特徴とする請求項１記載の通信端末装置。
【請求項３】
前記通話開始指令は、前記検知信号の継続時間が予め定めた一定時間継続されたことを前記モード設定手段が判定した時に生成されるように構成されていることを特徴とする請求項１記載の通信端末装置。
【請求項４】
前記通話停止指令は、一定時間内に前記検知部から断続して出力される検知信号の数が予め定めた数に達したことを前記モード設定手段が判定した時に生成されるように構成されていることを特徴とする請求項１記載の通信端末装置。
【請求項５】
前記携帯電話ユニットが音声通話モードに設定されて前記センターとの間の通話路が確立されている時に前記スイッチをプッシュオンしている間、前記プッシュ・トゥ・トーク式マイクセットを通しての前記センターへの音声による送信を可能にしたことを特徴とする請求項１記載の通信端末装置。
【請求項６】
前記携帯電話ユニットは、前記スピーカに出力される音声信号を増幅する増幅部を備え、前記制御部は、前記センターとの間の通話路が確立されている時に前記スイッチをプッシュオンしている間、前記検知部から出力される検知信号に基づいて前記スピーカの音量が低減されるように前記増幅部のゲインを制御することを特徴とする請求項１記載の通信端末装置。
【請求項７】
ＧＰＳ衛星からの信号を受けるＧＰＳアンテナと、前記ＧＰＳアンテナに到来するＧＰＳ衛星からの信号を受信して復調するＧＰＳ受信部と、車両の速度、車両のドアーの開閉など車両に必要に応じて設けられた複数のセンサーと、前記ＧＰＳ受信部で受信したデータおよび前記複数のセンサーで検出した各種信号を取得し処理するセンサー情報取得処理部とを備え、前記制御部は、前記プッシュ・トゥ・トーク式マイクセットを通しての通話がなされない時に前記携帯電話ユニットをセンサー情報送信モードに設定し、前記センサー情報取得処理部で取得され処理されたセンサー情報を前記携帯電話ユニットを通して前記センターに送信するように構成されていることを特徴とする請求項１記載の通信端末装置。
【請求項８】
前記制御部は、前記スイッチのプッシュ操作に伴う前記検知信号の継続時間が予め定められた時間もしくは前記検知信号の数が予め定められた値になったことを判定した時に前記移動体から前記センターに対してコールバック要求を出すコールバック手段を有し、前記コールバック手段によりコールバックのための要求信号を前記携帯電話ユニットを通して前記センターへ送信し、この要求信号に基づいて前記センターから前記移動体へ発信して両者間の通話路を確立するように構成されていることを特徴とする請求項１記載の通信端末装置。
【請求項９】
前記制御部は、前記センターから前記移動体へのコールバック要求信号を前記携帯電話ユニットが受信することにより前記移動体から前記センターへ自動発信して両者間の通話路を確立するように制御するコールバック制御手段を備えることを特徴とする請求項１記載の通信端末装置。
【発明の詳細な説明】
【技術分野】
【０００１】
本発明は、営業用自動車などの車両、列車、船舶などの移動体に搭載されて、移動体と自社事務所、当該移動体を管轄する営業所や司令室、緊急連絡先またはコールセンターなどの通話先であるセンターのとの間で音声による通話を可能にし、併せて移動体の位置情報や移動体の状態データなどの情報をセンターに送信できるようにした通信端末装置に関する。
【背景技術】
【０００２】
緊急時に用いられる通信端末装置は、自動車など業務用を含む車両に搭載され、車両に事故などの緊急事態が発生した時に、これらの事態を通信事業者の基地局などを経由してセンターに音声で通報するようにしたものであり、種々の方式のものが提案され実用に供されている。
【０００３】
従来、緊急用の通信端末装置の１つとして、ダイヤル発信、着信、音声通話を行うハンドセット電話機を備えて構成されたものが知られている（特許文献１参照）。
この種の通信端末装置を装備した車両において、交通事故などの緊急事態が発生した場合は、この通信端末装置に設けられた緊急通報発信釦を車両利用者により押下する。これに伴い、制御部は緊急通報発信要求があったことを認識し、緊急通報センターの電話番号を用いて緊急通報センターへの発信要求を行い、緊急通報センターと通信端末装置との間の通信回線を確立させる。そして、通信端末装置側で緊急通報センターとの音声通話モードであることが認識された場合は、ハンドセット電話機を通して緊急通報センターと通話か可能なようにハンドセット電話機を通信端末装置の通信制御部に接続し、ハンドセット電話機を用いてセンターとの音声通話を行う。
また、ハンドセット電話機を使用しない時は、ハンドセット電話機への送受信信号を遮断し、車両の位置情報などの車両情報を緊急通報センターに送信するようになっている。
【特許文献１】特許第３２９８８６５号公報
【発明の開示】
【発明が解決しようとする課題】
【０００４】
しかし、上述のような従来の通信端末装置では、緊急通報センターとの音声通話にハンドセット電話機を使用しているため、ハンドセット電話機の不使用時にハンドセットを安定に保持しておくためには、ハンドセットの外形形状対応して成形された専用の設置部を車両のインストルメントパネルやフロア・コンソールボックスなどに設ける必要がある。このことは、インストルメントパネルやフロア・コンソールボックスを複雑化し、コスト上昇の要因となる。
【０００５】
また、従来の通信端末装置における緊急通報発信釦は端末装置本体に設けられているため、緊急通報センターへの緊急通報に際しては、端末装置本体の設置場所及び緊急通報発信釦の位置をいちいち確認しながら緊急通報発信釦をプッシュする必要があり、そのため、緊急通報発信釦の操作が煩雑になり、緊急時に緊急通報発信釦のプッシュ操作をしないまま、ハンドセットをフックオフするなどの不手際が生じ易く、車両運転者への負担が大きいという問題があった。
【０００６】
本発明は、このような従来の問題を解決するためになされたもので、さらに通常の連絡手段として利用できるように無線などで使用されているプッシュ・トゥ・トーク式マイクのみを利用してセンターへの発信、センターとの音声通話を可能にし、かつ、これらの通話操作を簡便にし、移動体を操作する者等への負担を大幅に軽減できるようにした通信端末装置を提供することを目的とする。
【課題を解決するための手段】
【０００７】
上記目的を達成するために請求項１の発明は、車両その他の移動体に搭載されて、移動体と通話先であるセンターとの間で音声による通話を可能にした通信端末装置であって、マイクロフォン及びスピーカと、前記マイクロフォンに直列に接続されたスイッチとを有し、前記スイッチのオン操作で送信状態となり、前記スイッチのオフ操作で受信状態になるプッシュ・トゥ・トーク式マイクセットと、送受信アンテナと、前記送受信アンテナで受けた前記センターからの受信信号を増幅し復調して前記スピーカに出力するとともに、前記スイッチのオン操作に伴い前記マイクロフォンでピックアップされた音声信号を送信信号に変調し所要の送信出力に増幅して前記送受信アンテナから電波として送出する携帯電話ユニットと、前記携帯電話ユニットを含む端末装置全体を制御し管理する制御部と、前記制御部に接続され、少なくとも前記センターの電話番号を記憶する記憶部と、前記スイッチがプッシュ操作された否かを検知し該スイッチがプッシュ操作される毎に検知信号を出力する検知部とを備え、前記制御部は、前記スイッチのプッシュ操作に伴い前記検知部から出力される検知信号の継続時間及び一定の時間内に断続して出力される前記検知信号の数を検出し、前記検知信号の継続時間が予め定められた時間もしくは前記検知信号の数が予め定められた値になったことを判定した時に通話開始指令を生成し該通話開始指令に基づいて前記記憶部の電話番号に該当する前記センターに電話発信処理を行うとともに前記携帯電話ユニットを音声通話モードに設定して前記センターとの通話を可能にし、かつ前記検知信号の継続時間が予め定められた前記通話開始指令の場合と異なる時間もしくは前記検知信号の数が予め定められた前記通話開始指令の場合と異なる値になったことを判定した時に通話停止指令を生成し該通話停止指令に基づいて前記携帯電話ユニットを通話停止モードに設定するモード設定手段を備えることを特徴とする。
【０００８】
請求項２の発明は、請求項１記載の通信端末装置において、前記携帯電話ユニットは、前記送受信アンテナで受けた前記センターからの受信信号を増幅し復調する受信部と、前記受信部で復調した受信信号を音声信号に変換して前記スピーカに出力する受信信号処理部と、前記スイッチのオン操作時に前記マイクロフォンでピックアップされた音声信号を送信信号に変換する送信信号処理部と、前記送信信号処理部から出力される送信信号を変調し所要の送信出力に増幅して前記送受信アンテナから電波として送出させる送信部とを備えることを特徴とする。
【０００９】
請求項３の発明は、請求項１記載の通信端末装置において、前記通話開始指令は、前記検知信号の継続時間が予め定めた一定時間継続されたことを前記モード設定手段が判定した時に生成されるように構成されていることを特徴とする。
請求項４の発明は、請求項１記載の通信端末装置において、前記通話停止指令は、一定時間内に前記検知部から断続して出力される検知信号の数が予め定めた数に達したことを前記モード設定手段が判定した時に生成されるように構成されていることを特徴とする。
【００１０】
請求項５の発明は、請求項１記載の通信端末装置において、前記携帯電話ユニットが音声通話モードに設定されて前記センターとの間の通話路が確立されている時に前記スイッチをプッシュオンしている間、前記プッシュ・トゥ・トーク式マイクセットを通しての前記センターへの音声による送信を可能にしたことを特徴とする。
請求項６の発明は、請求項１記載の通信端末装置において、前記携帯電話ユニットは、前記スピーカに出力される音声信号を増幅する増幅部を備え、前記制御部は、前記センターとの間の通話路が確立されている時に前記スイッチをプッシュオンしている間、前記検知部から出力される検知信号に基づいて前記スピーカの音量が低減されるように前記増幅部のゲインを制御することを特徴とする。
【００１１】
請求項７の発明は、請求項１記載の通信端末装置において、ＧＰＳ衛星からの信号を受けるＧＰＳアンテナと、前記ＧＰＳアンテナに到来するＧＰＳ衛星からの信号を受信して復調するＧＰＳ受信部と、車両の速度、車両のドアーの開閉など車両に必要に応じて設けられた複数のセンサーと、前記ＧＰＳ受信部で受信したデータおよび前記複数のセンサーで検出した各種信号を取得し処理するセンサー情報取得処理部とを備え、前記制御部は、前記プッシュ・トゥ・トーク式マイクセットを通しての通話がなされない時に前記携帯電話ユニットをセンサー情報送信モードに設定し、前記センサー情報取得処理部で取得され処理されたセンサー情報を前記携帯電話ユニットを通して前記センターに送信するように構成されていることを特徴とする。
【００１２】
請求項８の発明は、請求項１記載の通信端末装置において、前記制御部は、前記スイッチのプッシュ操作に伴う前記検知信号の継続時間が予め定められた時間もしくは前記検知信号の数が予め定められた値になったことを判定した時に前記移動体から前記センターに対してコールバック要求を出すコールバック手段を有し、前記コールバック手段によりコールバックのための要求信号を前記携帯電話ユニットを通して前記センターへ送信し、この要求信号に基づいて前記センターから前記移動体へ発信して両者間の通話路を確立するように構成されていることを特徴とする。
請求項９の発明は、請求項１記載の通信端末装置において、前記制御部は、前記センターから前記移動体へのコールバック要求信号を前記携帯電話ユニットが受信することにより前記移動体から前記センターへ自動発信して両者間の通話路を確立するように制御するコールバック制御手段を備えることを特徴とする。
【発明の効果】
【００１３】
本発明の通信端末装置では、プッシュ・トゥ・トーク式マイクセットが有するスイッチがプッシュ操作された否かを検知しスイッチのプッシュ操作毎に検知信号を出力する検知部を設け、この検知部からの検知信号を取り込んで動作する制御部のモード設定手段により、例えば検知部から出力される検知信号の継続時間が予め定めた一定時間継続されたことを判定した時に生成される通話開始指令に基づいて電話番号に該当するセンターに電話発信処理を行うとともに携帯電話ユニットを音声通話モードに設定してセンターとの通話を可能にし、また、検知部からの検知信号を取り込んで動作する制御部のモード設定手段により、例えば一定の時間内に断続して出力される検知部からの検知信号の数が予め定めた数以上の時に生成される通話停止指令に基づいて携帯電話ユニットを通話停止モードに設定するように構成したので、片手操作が可能なプッシュ・トゥ・トーク式マイクセットを利用して、センターへの発信、センターとの音声通話が可能になるとともに、これらの通話操作も簡便になり、移動体を操作する者等への負担を大幅に軽減できる。
【００１４】
また、本発明によれば、携帯電話ユニットが音声通話モードに設定されてセンターとの間で通話路が確立されている時は、スイッチをプッシュオンするだけでプッシュ・トゥ・トーク式マイクセットを通して移動体側からセンターへの音声による送信を容易に行うことができ、かつスイッチをプッシュオフすることでセンターからの音声を聞くことができる。
また、本発明によれば、センターとの間の通話路が確立されている時にプッシュ・トゥ・トーク式マイクセットのスイッチをプッシュオンしている間、検知部で検知される信号に基づいてスピーカの音量が低減されるように増幅部のゲインを制御部で制御するようにしたので、音声による通話時のハウリングを防止できる。
【００１５】
本発明によれば、ＧＰＳ受信部及び車両の速度や車両のドアーの開閉など車両に必要に応じて設けられた複数のセンサーで検出された各種の検出情報をセンサー情報取得処理部で取得処理し、プッシュ・トゥ・トーク式マイクセットを通しての通話がなされない時に携帯電話ユニットをセンサー情報送信モードに設定するようにしたので、センサー情報取得処理部で取得され処理されたセンサー情報を携帯電話ユニットを通してセンターに送信することができる。
また、本発明によれば、移動体からのコールバック要求またはセンターからのコールバック要求により、移動体とセンターとの間で音声による通話が可能になる。
【発明を実施するための最良の形態】
【００１６】
（第１の実施の形態）
以下に本発明の実施の形態について図面を参照して詳細に説明する。
図１は本実施の形態における通信端末装置の外観図、図２は本実施の形態における通信端末装置の全体の構成を示すブロック図、図３は本実施の形態における通信端末装置の携帯電話ユニットの内部構成を示すブロック図である。
【００１７】
図１及び図２において、通信端末装置１００は、営業用自動車などの車両、列車、船舶などの移動体に搭載されて、移動体とセンター（図示しないが、自社事務所、当該移動体を管轄する営業所や司令室、緊急連絡先またはコールセンターなどの通話先に相当する）との間で音声による通話を可能にするもので、片手操作が可能なプッシュ・トゥ・トーク式マイクセット１１、送受信アンテナ１２、送受信アンテナ１２に接続された携帯電話ユニット１３、制御部１４、制御部１４に接続された記憶部１５、検知部１６、ＧＰＳアンテナ１７、ＧＰＳ受信部１８、車両の各種状態を検出する複数のセンサー２０、これらセンサー部で検出した信号を取得し処理するセンサー情報取得処理部２１等を備えて構成されている。
【００１８】
前記プッシュ・トゥ・トーク式マイクセット１１は、図１及び図２に示すように、ハウジング１１１と、このハウジング１１１に装着され、携帯電話ユニット１３に接続されたマイクロフォン１１２及びスピーカ１１３と、ハウジング１１１の側部に装着され、マイクロフォン１１２の携帯電話ユニット１３へのラインに直列に接続されたプッシュ式のスイッチ１１４とを有しており、このプッシュ・トゥ・トーク式マイクセット１１は、スイッチ１１４のオン操作で送信状態となり、スイッチ１１４のオフ操作で受信状態になる。また、プッシュ・トゥ・トーク式マイクセット１１のスピーカ１１３は増幅部１９を介して携帯電話ユニット１３に接続されている。
【００１９】
前記携帯電話ユニット１３は、送受信アンテナ１２で受けたセンターからの受信信号を増幅し復調してスピーカ１１３に出力するとともに、スイッチ１１４のオン操作に伴いマイクロフォン１１２でピックアップされた音声信号を送信信号に変調し所要の送信出力に増幅して送受信アンテナから電波として送出するもので、図３に示すように、送受信アンテナ１２で受けたセンターからの受信信号を増幅し復調する受信部１３１と、受信部１３１で復調した受信信号を音声信号に変換してスピーカ１１３に出力する受信信号処理部１３２と、スイッチ１１４のオン操作時にマイクロフォン１１２でピックアップされた音声信号を送信信号に変換する送信信号処理部１３３と、この送信信号処理部１３３から出力される送信信号を変調し所要の送信出力に増幅して送受信アンテナ１２から電波として送出させる送信部１３４とを備え、送信部１３４と受信部１３１はアンテナ共用機１３６を介して送受信アンテナ１２に接続されている。
【００２０】
前記制御部１４は、携帯電話ユニット１３及びセンサー情報取得処理部２１を含む端末装置全体を制御し管理するもので、ＣＰＵ（中央処理装置）から構成される。また、この制御部１４に接続された記憶部１５には、通話先であるセンターの電話番号や移動体の登録番号など通話に必要な情報が格納されているほか、前記センサー情報取得処理部２１で取得処理された各種の検出情報がデジタル信号に変換されて格納されている。また、記憶部１５には、スイッチ１１４のプッシュ操作に伴う前記検知信号の継続時間が予め定められた時間または前記検知信号の数が予め定められた値が後述する通話開始指令や通話停止指令などに対応して格納されるように構成されている。
【００２１】
前記検知部１６は、プッシュ・トゥ・トーク式マイクセット１１のスイッチ１１４がプッシュ操作された否かを検知し、このスイッチ１１４のプッシュ操作毎に検知信号を出力するもので、マイクロフォン１１２の携帯電話ユニット１３へのラインに接続され、この検知部１６で検知された検知信号は制御部１４に取り込まれる構成になっている。
また、前記制御部１４は、検知部１６からの検知信号を基に、例えば検知部１６から出力される検知信号の継続時間が予め定めた一定時間（例えば、１〜２秒程度）継続されたことを判定して通話開始指令を生成し、この通話開始指令に基づいて、記憶部１５に登録された電話番号に該当するセンターに電話発信処理を行うとともに携帯電話ユニット１３を音声通話モードに設定してセンターとの通話を可能にし、かつ、例えば検知部１６から一定の時間（例えば、１〜２秒）内に断続して出力される検知信号の数が予め定めた数（例えば、スイッチ１１４を３回断続的にプッシュ操作することで発生する３発のパルス状信号）以上であることを判定して通話停止指令を生成し、この通話停止指令に基づいて携帯電話ユニット１３を通話停止モードに設定するモード設定手段１４１を備えている。
【００２２】
通信端末装置１００は、携帯電話ユニット１３が音声通話モードに設定されてセンターとの間の通話路が確立されている時にスイッチ１１４をプッシュ操作している間、プッシュ・トゥ・トーク式マイクセット１１を通しての音声によるセンターへの送信が可能になっている。
また、前記増幅部１９は、図３に示す受信信号処理部１３２から出力された音声信号を増幅してスピーカ１１３に出力するものであり、この増幅部１９のゲインは、通信端末装置１００とセンターとの間の通話路が確立されている時にスイッチ１１４をプッシュ操作している間、このプッシュ操作に伴い検知部１６から出力される検知信号に基づいてスピーカ１１４の音量が低減されるように制御される構成になっている。
【００２３】
図２において、ＧＰＳアンテナ１７はＧＰＳ衛星からの信号を受けるものであり、ＧＰＳ受信部１８はＧＰＳアンテナ１７に到来するＧＰＳ衛星からの信号を受信して復調するものであり、また、移動体の各種状態を検出する複数のセンサー２０は、移動体の速度、移動体ドアーの開閉、移動体の室内温度、移動体に搭載されたバッテリーの電圧など、移動体に必要に応じて設けられ移動体の各種状態を検出するためのセンサーである。
また、センサー情報取得処理部２１は、ＧＰＳ受信部１８で受信したデータ及び複数のセンサー２０で検出した各種の検出信号を取得し処理するものであり、このセンサー情報取得処理部２１で取得され処理されたセンサー情報は、プッシュ・トゥ・トーク式マイクセット１１を通しての通話がなされない時の通話停止時に携帯電話ユニット１３をセンサー情報送信モードに設定した状態でセンターに送信するように構成されている。
【００２４】
次に、本実施の形態に示す通信端末装置１００の動作について説明する。
まず、片手操作可能なプッシュ・トゥ・トーク式マイクセット１１を通信端末装置１００の携帯電話ユニット１３にジャックなどを介して接続する。この状態で、プッシュ・トゥ・トーク式マイクセット１１のスイッチ１１４を一定時間、例えば１〜２秒程度プッシュ操作し続ける。このプッシュ操作に伴うスイッチ１１４のオン信号は検知部１６により検知され、制御部１４に取り込まれる。制御部１４のモード設定手段１４１では、検知部１６から出力される検知信号の継続時間が予め定めた一定時間（例えば、１〜２秒）継続されたか否かを判定する。ここで、一定時間（例えば、１〜２秒）継続されたことが判定されると、モード設定手段１４１から携帯電話ユニット１３に通話開始指令が与えられることにより携帯電話ユニット１３を音声通話モードに設定するとともに、記憶部１５に登録されている電話番号に該当するセンターに電話発信処理を行い、通信端末装置１００とセンターとの間の通話路を確立して両者間での音声による通話を可能にする。
【００２５】
上記通話モードが設定され、かつ通話路が確立された状態において、プッシュ・トゥ・トーク式マイクセット１１のスイッチ１１４をプッシュオンにすると、マイクロフォン１１２は音声をピックアップできる動作状態におかれるため、このマイクロフォン１１２に向かって移動体を操作する者等が音声を発すれば、その音声はマイクロフォン１１２でピックアップされ、電気信号に変換された後、送信信号処理部１３３で送信信号に変換され、さらに、その送信信号は変調され所要の送信出力に増幅された後、送受信アンテナ１２から電波として、基地局もしくは通信事業者の基地局を経由してセンターに送出される。
この場合、プッシュ・トゥ・トーク式マイクセット１１のスイッチ１１４がプッシュ操作されている間、検知部１６で検知された信号に基づいてスピーカ１１３の音量が低減されるように増幅部１３５のゲインが制御部１４により制御される。
また、スイッチ１１４がプッシュオフにされると、マイクロフォン１１２は携帯電話ユニット１３から切り離されるとともに、増幅部１３５のゲインが元に戻される。そして、通信端末装置１００から送信された通話内容に対応してセンターから送信される通話信号は送受信アンテナ１２を通して携帯電話ユニット１３の受信部１３１で受信され、その受信信号は増幅、復調された後、受信信号処理部１３２で音声信号に変換されてスピーカ１１３に出力され、このスピーカ１１３鳴動することでセンターから通話内容を聴取する。
以下、上記スイッチ１１４のプッシュオン及びプッシュオフ操作を繰り返すことによって、通信端末装置１００とセンターとの間での音声による通話が可能になる。
【００２６】
また、通話モード中に、スイッチ１１４を３回程度断続的にプッシュ操作することにより発生する３発程度のパルス状信号がモード設定手段１４１で認識されると、通話停止指令を生成され、この通話停止指令により携帯電話ユニット１３を通話停止モードに設定制御する。これにより、通信端末装置１００とセンターとの間での音声による通話は終了する。
【００２７】
次に、各センサーで検出された検出データをセンターへ送信する場合について説明する。
この場合は、通信端末装置１００がセンターと通話していない時に携帯電話ユニット１３を制御部１４により自動的にデータ送信モードに設定する。これにより、ＧＰＳ受信部１８で受信したデータ及び複数のセンサー２０で検出した各種の検出信号はセンサー情報取得処理部２１により取得され処理される。このセンサー情報取得処理部２１で処理されたセンサー情報は、データ送信モード状態の携帯電話ユニット１３から送受信アンテナ１２及び基地局を経由してセンターに送信される。
【００２８】
このような本実施の形態による通信端末装置１００によれば、プッシュ・トゥ・トーク式マイクセット１１が有するスイッチ１１４がプッシュ操作された否かを検知しスイッチ１１４のプッシュ操作毎に検知信号を出力する検知部１６を設け、この検知部１６からの検知信号を取り込んで動作する制御部１４のモード設定手段１４１により、検知部１６から出力される検知信号の継続時間が予め定めた一定時間（例えば、１〜２秒）継続されたことを判定した時に生成される通話開始指令に基づいて、記憶部１１５に登録された電話番号に該当するセンターに電話発信処理を行うとともに携帯電話ユニット１３を音声通話モードに設定してセンターとの通話を可能にし、また、検知部１６からの検知信号を取り込んで動作する制御部１４のモード設定手段１４１により、一定の時間内に断続して出力される検知部１６からの検知信号の数が予め定めた数、例えば３回程度の断続的された信号を認識した時に生成される通話停止指令に基づいて携帯電話ユニット１３を通話停止モードに設定するように構成したので、片手操作が可能なプッシュ・トゥ・トーク式マイクセット１１を利用して、センターへの発信、センターとの音声通話が可能になるとともに、これらの通話操作も簡便になり、移動体を操作する者等への負担を大幅に軽減することができる。
【００２９】
また、本実施の形態によれば、携帯電話ユニット１３が音声通話モードに設定されてセンターとの間で通話路が確立されている時は、スイッチ１１４をプッシュオンするだけでプッシュ・トゥ・トーク式マイクセット１１を通して車両側からセンターへの音声による送信を容易に行うことができ、かつスイッチ１１４をプッシュオフすることでセンターからの音声を聞くことができる。
また、本実施の形態によれば、センターとの間の通話路が確立されている時にプッシュ・トゥ・トーク式マイクセットのスイッチをプッシュオンしている間、検知部１３で検知される信号に基づいてスピーカ１１３の音量が低減されるように増幅部１３５のゲインを制御部１４で制御するようにしたので、音声による通話時のハウリングを防止することができる。
【００３０】
このような本実施の形態によれば、ＧＰＳ受信部１８及び移動体の速度や移動体のドアーの開閉など移動体に必要に応じて設けられた複数のセンサーで検出された各種の検出情報をセンサー情報取得処理部２１で取得処理し、そして、プッシュ・トゥ・トーク式マイクセット１１を通しての通話がなされない時に携帯電話ユニット１３をセンサー情報送信モードに設定するようにしたので、センサー情報取得処理部２１で取得され処理されたセンサー情報を携帯電話ユニット１３を通してセンターに送信することができる。
【００３１】
（第２の実施の形態）
次に、図４により本発明の通信端末装置にかかる制御部の他の実施の形態について説明する。
この第２の実施の形態においては、図４に示すように、プッシュ・トゥ・トーク式マイクセット１１のスイッチ１１４のプッシュ操作に伴い検知部１６から出力される検知信号の継続時間が予め定められた時間または一定時間内に検知部１６から出力される検知信号の数が予め定められた値になったことを判定した時に移動体からのセンターへのコールバック要求を出すコールバック手段１４２を制御部１４に設け、このコールバック手段１４２をスイッチ１１４のプッシュ操作で動作させることにより、コールバックのための要求信号を携帯電話ユニット１３を通してセンターへ送信し、この要求信号に基づいてセンターから移動体へ発信して両者間の通話路を確立する。これにより、移動体からのコールバック要求で両者間の音声による通話を行うことができる。
また、図４に示すように、制御部１４にコールバック制御手段１４３を設け、このコールバック制御手段１４３により、センターから移動体へ送信されるコールバック要求信号を携帯電話ユニット１３で受信した時に、この要求信号を基に移動体からセンターへ自動発信して両者間の通話路を確立するように制御する。これにより、センターからのコールバック要求で両者間の音声による通話を行うことができる。
なお、記憶部１５には、移動体からのコールバック要求に対応して設定された検知信号の継続時間及び記検知信号の数などのデータも格納される構成になっている。
【００３２】
上記実施の形態では、記憶部１５に１つのセンターに該当する電話番号を登録した場合について説明したが、本発明はこれに限定されず、複数の電話番号が登録させることができる。この場合、プッシュ・トゥ・トーク式マイクセット１１のスイッチ１１４のプッシュ操作による電話番号は、検知部１６から出力される検知信号の継続時間及び一定の時間内に断続して出力される検知信号の数を組み合わせることにより、複数の通話先を別々に選定し、各通話先と別々に通話することができる。
また、上記実施の形態では、プッシュ・トゥ・トーク式マイクセット１１のスイッチ１１４を予め定めたパターンでプッシュオン・オフ操作することにより、移動体の通信端末装置とセンター間を通話状態に移行させる場合について説明したが、本発明はこれに限らず、通信端末装置１００に電源を投入した時点で通信端末装置１００を自動的に通話状態に設定したり、または通信端末装置１００を留守番電話サービス状態に設定したりすることも可能である。
また、本発明において、移動体側から複数の通話先を選定する手段としては、通話端末装置１００にロータリースイッチのような選択スイッチを設け、この選択スイッチを切り換え操作することにより、通話先の電話番号を別々に選定することもできる。この場合、スイッチ１１４のプッシュ操作に伴う検知部１６からの検知信号の継続時間が予め定められた時間または検知信号の数が予め定められた値になったか否かをモード設定手段１４１で判定し、イエスと判定された時に前記選定された電話番号の通話先に発信して当該通話先との音声により通話を可能にする。
また、本発明における通話開始指令または通話停止指令は、検知信号の継続時間または一定時間内に検知部１６から断続して出力される検知信号の数のみで生成される方式に限らず、検知信号の継続時間と検知信号の数との組み合わせにより、通話開始指令または通話停止指令をモード設定手段で生成できるようにすることも可能である。
また、本発明は、特許請求の範囲に記載された通信端末装置の要旨を逸脱しない範囲において、具体的な構成、機能、作用効果において、他の種々の形態によっても実施することができる。
【図面の簡単な説明】
【００３３】
【図１】本発明の実施の形態における通信端末装置の外観図である。
【図２】本発明の実施の形態における通信端末装置の全体の構成を示すブロック図である。
【図３】本発明の実施の形態における通信端末装置の携帯電話ユニットの内部構成を示すブロック図である。
【図４】本発明の実施の形態における制御部の他の例を示すブロック図である。
【符号の説明】
【００３４】
１００……通信端末装置、１１……プッシュ・トゥ・トーク式マイクセット、１１１……ハウジング、１１２……マイクロフォン、１１３……スピーカ、１１４……スイッチ、１２……送受信アンテナ、１３……携帯電話ユニット、１３１……受信部、１３２……受信信号処理部、１３３……送信信号処理部、１３４……送信部、１４……制御部、１４１……モード設定手段、１４２……コールバック手段、１４３……コールバック制御手段、１５……記憶部、１６……検知部、１７……ＧＰＳアンテナ、１８……ＧＰＳ受信部、１９……増幅部、２０……複数のセンサー、２１……センサー情報取得処理部。
【図１】
0004471391.tif 000002
【図２】
0004471391.tif 000003
【図３】
0004471391.tif 000004
【図４】
0004471391.tif 000005